(57)【要約】      （修正有）【課題】１つの蒸発器で冷却を行う冷蔵庫において、冷凍空間内に高い温度の空気が流入するのを防止し省エネルギー性能に優れた冷蔵庫を提供する。【解決手段】１つの蒸発器５３で冷却された空気を、冷蔵空間２０に送風する冷蔵冷却モードと、冷凍空間４０に送風する冷凍冷却モードとを切り替えて実行する冷蔵庫１０において、冷蔵冷却モードから冷凍冷却モードに切り替わる際に、冷蔵冷却モード終了後、圧縮機５６を駆動しつつ蒸発器ファン５８を停止し、蒸発器５３で冷却された空気を冷蔵空間２０に供給する流路を開閉する冷蔵ダンパ２７及び蒸発器５３で冷却された空気を冷凍空間４０に供給する流路を開閉する冷凍ダンパ４９を閉止する移行モードを所定時間実行してから冷凍冷却モードを実行する。【選択図】図１
2013160487.tif 000002
【特許請求の範囲】
【請求項１】
冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間に供給する流路を開閉する冷蔵ダンパと、前記蒸発器で冷却された空気を前記冷凍空間に供給する流路を開閉する冷凍ダンパとを備え、
前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、
前記冷蔵冷却モードから前記冷凍冷却モードに切り替わる際に、前記冷蔵冷却モード終了後、前記圧縮機を駆動しつつ前記蒸発器ファンを停止し前記冷蔵ダンパ及び前記冷凍ダンパを閉止する移行モードを所定時間実行してから前記冷凍冷却モードを実行することを特徴とする冷蔵庫。
【請求項２】
冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間に供給する流路を開閉する冷蔵ダンパと、前記蒸発器で冷却された空気を前記冷凍空間に供給する流路を開閉する冷凍ダンパと、前記蒸発器の温度を検出する温度センサとを備え、
前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、
前記冷蔵冷却モードから前記冷凍冷却モードに切り替わる際に、前記冷蔵冷却モード終了後、前記圧縮機を駆動しつつ前記蒸発器ファンを停止し前記冷蔵ダンパ及び前記冷凍ダンパを閉止する移行モードを前記温度センサの検出温度が所定温度以下に達するまで実行してから前記冷凍冷却モードを実行することを特徴とする冷蔵庫。
【請求項３】
前記圧縮機から吐出された冷媒を前記蒸発器に供給する流路を開閉する開閉弁を備え、
前記移行モード実行中に前記開閉弁を閉止することを特徴とする請求項１又は２に記載の冷蔵庫。
【請求項４】
冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間へ供給する流路を開閉する冷蔵ダンパと、前記蒸発器で冷却された空気を前記冷凍空間へ供給する流路を開閉する冷凍ダンパとを備え、
前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、
前記蒸発器を除霜している間、前記圧縮機及び前記蒸発器ファンを停止し前記冷蔵ダンパ及び前記冷凍ダンパを閉止する除霜モードを実行することを特徴とする冷蔵庫。
【請求項５】
前記除霜モードから前記冷蔵冷却モード又は前記冷凍冷却モードに切り替わる際に、前記除霜モード終了後、前記圧縮機を駆動しつつ前記蒸発器ファンを停止し前記冷蔵ダンパ及び前記冷凍ダンパを閉止する移行モードを所定時間実行してから前記冷蔵冷却モード又は前記冷凍冷却モードを実行することを特徴とする請求項４に記載の冷蔵庫。
【請求項６】
前記蒸発器の温度を検出する温度センサを備え、
前記除霜モードから前記冷蔵冷却モード又は前記冷凍冷却モードに切り替わる際に、前記除霜モード終了後、前記圧縮機を駆動しつつ前記蒸発器ファンを停止し前記冷蔵ダンパ及び前記冷凍ダンパを閉止する移行モードを前記温度センサの検出温度が所定温度以下に達するまで実行してから前記冷蔵冷却モード又は前記冷凍冷却モードを実行することを特徴とする請求項４に記載の冷蔵庫。
【発明の詳細な説明】
【技術分野】
【０００１】
本発明の実施形態は、冷蔵庫に関する。
【背景技術】
【０００２】
従来、１つの蒸発器で冷却を行う冷蔵庫において、蒸発器で冷却された空気を冷蔵空間へ供給する流路と冷凍空間へ供給する流路とにそれぞれ冷蔵ダンパと冷凍ダンパを設け、これらのダンパの開閉を切り替えることで、冷蔵空間を冷却する冷蔵冷却モードと、冷凍空間を冷却する冷凍冷却モードとを切り替えて実行する冷蔵庫が知られている（例えば、下記特許文献１参照）。
【先行技術文献】
【特許文献】
【０００３】
【特許文献１】特許第４１３５３４０号
【発明の概要】
【発明が解決しようとする課題】
【０００４】
しかしながら、上記の冷蔵庫には、冷蔵ダンパを閉止するとともに冷凍ダンパを開放して冷蔵冷却モードから冷凍冷却モードに切り替えた際、蒸発器の温度が冷蔵冷却モード実行時の温度のままであるため、冷凍空間内に温度の高い空気が流入し省エネルギー性能を悪化させるおそれがある。
【０００５】
そこで、１つの蒸発器で冷却を行う冷蔵庫において、冷凍空間内に高い温度の空気が流入するのを防止し省エネルギー性能に優れた冷蔵庫を提供することを目的とする。
【課題を解決するための手段】
【０００６】
実施形態に係る冷蔵庫は、冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間に供給する流路を開閉する冷蔵ダンパと、前記蒸発器で冷却された空気を前記冷凍空間に供給する流路を開閉する冷凍ダンパとを備え、前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、前記冷蔵冷却モードから前記冷凍冷却モードに切り替わる際に、前記冷蔵冷却モード終了後、前記圧縮機を駆動しつつ前記蒸発器ファンを停止し前記冷蔵ダンパ及び前記冷凍ダンパを閉止する移行モードを所定時間実行してから前記冷凍冷却モードを実行することを特徴とする。
【０００７】
他の実施形態に係る冷蔵庫は、冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間に供給する流路を開閉する冷蔵ダンパと、前記蒸発器で冷却された空気を前記冷凍空間に供給する流路を開閉する冷凍ダンパと、前記蒸発器の温度を検出する温度センサとを備え、前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、前記冷蔵冷却モードから前記冷凍冷却モードに切り替わる際に、前記冷蔵冷却モード終了後、前記圧縮機を駆動しつつ前記蒸発器ファンを停止し前記冷蔵ダンパ及び前記冷凍ダンパを閉止する移行モードを前記温度センサの検出温度が所定温度以下に達するまで実行してから前記冷凍冷却モードを実行することを特徴とする。
【０００８】
更に他の実施形態に係る冷蔵庫は、冷蔵空間と、冷凍空間と、圧縮機と、前記圧縮機から吐出された冷媒が供給され前記冷蔵空間及び前記冷凍空間を冷却する蒸発器と、前記蒸発器で冷却された空気を前記冷蔵空間及び前記冷凍空間に送風する蒸発器ファンと、前記蒸発器で冷却された空気を前記冷蔵空間へ供給する流路を開閉する冷蔵ダンパと、前記蒸発器で冷却された空気を前記冷凍空間へ供給する流路を開閉する冷凍ダンパとを備え、前記蒸発器で冷却された空気を前記冷蔵空間に送風する冷蔵冷却モードと、前記蒸発器で冷却された空気を前記冷凍空間に送風する冷凍冷却モードとを切り替えて実行する冷蔵庫において、前記蒸発器を除霜している間、前記圧縮機及び前記蒸発器ファンを停止し前記冷蔵ダンパ及び前記冷凍ダンパを閉止する除霜モードを実行することを特徴とする。
【図面の簡単な説明】
【０００９】
【図１】第１実施形態に係る冷蔵庫の断面図である。
【図２】図１に示す冷蔵庫の扉及び引き出しを省略した正面図である。
【図３】図１に示す冷蔵庫の冷凍サイクルである。
【図４】第２実施形態に係る冷蔵庫の冷凍サイクルである。
【発明を実施するための形態】
【００１０】
（第１実施形態）
以下、図面に基づき本発明の第１実施形態について説明する。
【００１１】
本実施形態に係る冷蔵庫１０は、図１，２に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１２】
冷蔵空間２０は、冷蔵温度（例えば、２〜３℃）に冷却される空間であって、内部がさらに仕切板２１によって上下に区画され、上部空間に複数段の載置棚を設けた冷蔵室２２が設けられ、下部空間に引き出し式の収納容器２５を配置する野菜室２４が設けられている。
【００１３】
野菜室２４の下方に配置した冷凍空間４０は、冷凍温度（例えば、−１８℃以下）に冷却される空間であって、比較的小容積の自動製氷機を備えた製氷室４２と小型冷凍室４４とが左右に併設され、その下方に冷凍室４６が設けられている。
【００１４】
冷蔵室２２の開口部は、冷蔵庫本体１１の一側部の上下に設けられたヒンジにより回動自在に枢支された冷蔵室扉２２ａにより閉塞されている。
【００１５】
野菜室２４、製氷室４２、小型冷凍室４４および冷凍室４６の開口部は、引き出し式扉２４ａ，４４ａ，４６ａにより閉塞されている。各引き出し式扉２４ａ，４４ａ，４６ａの裏面側に固着した左右一対の支持枠には、収納容器２５，４５，４７が保持されており、開扉動作とともに庫外に引き出されるように構成されている。
【００１６】
製氷室４２及び小型冷凍室４４の背部には、図３に示すような冷凍サイクル５０を構成する１つの蒸発器５３と、蒸発器５３で冷却された空気を冷蔵空間２０及び冷凍空間４０に送風する蒸発器ファン５８とを収納する蒸発器室６１が配設されている。
【００１７】
冷凍サイクル５０は、高温高圧の冷媒ガスを吐出する圧縮機５６と、該圧縮機５６から吐出される冷媒ガスを受けて放熱液化する凝縮器５５と、該凝縮器５５の出口側に設けられて冷媒流路を開閉する開閉弁５９と、凝縮器５５からの冷媒を減圧するキャピラリーチューブ５２と、キャピラリーチューブ５２の下流側に接続され蒸発器５３とを配管接続して構成される。圧縮機５６から吐出された冷媒は、凝縮器５５、開閉弁５９、キャピラリーチューブ５２を介して蒸発器５３に供給され、これにより、蒸発器５３が低温下する。蒸発器５３には、蒸発器５３の温度を検出する温度センサ５７が設けられている。
【００１８】
蒸発器室６１は、図１及び図２に示すように、冷蔵ダンパ２７が設けられた冷蔵ダクト２６によって冷蔵空間２０と接続されるとともに、冷凍ダンパ４９が設けられた冷凍ダクト４８によって冷凍空間４０と接続されている。
【００１９】
このような構成の冷蔵庫１０では、圧縮機５６及び蒸発器ファン５８の駆動と、冷蔵ダンパ２７及び冷凍ダンパ４９の開閉とを制御することで、冷蔵冷却モードと、冷凍冷却モードとを切り替えて実行するとともに、冷蔵冷却モードから冷凍冷却モードに切り替わる際に移行モードを実行する。
【００２０】
冷蔵冷却モードでは、冷凍サイクル５０に設けられた開閉弁５９を開放するとともに圧縮機５６を駆動することで蒸発器５３を低温化しつつ、冷蔵ダンパ２７を開放し冷凍ダンパ４９を閉止した状態で蒸発器ファン５８を駆動することで、蒸発器５３で冷却された空気が冷蔵ダクト２６を介して冷蔵空間２０に送風され、冷蔵空間２０内を冷却する。冷蔵空間２０内を流れた空気は、冷蔵空間２０の下部を構成する野菜室２４の背面に設けられた吸込口２８からリターンダクト３７に取り込まれ、蒸発器室６１に戻り、再び蒸発器５３と熱交換し冷却される。
【００２１】
冷凍冷却モードでは、冷凍サイクル５０に設けられた開閉弁５９を開放するとともに圧縮機５６を駆動することで蒸発器５３を低温化しつつ、冷蔵ダンパ２７を閉止し冷凍ダンパ４９を開放した状態で蒸発器ファン５８を駆動することで、冷凍冷却モードでは、蒸発器５３で冷却された空気が冷凍ダクト４８を介して冷凍空間４０に送風され、冷凍空間４０内を冷却する。冷凍空間４０内を流れた空気は、冷凍空間４０の下部を構成する冷凍室４６の背面に設けられた吸込口６０からリターンダクト３７に取り込まれ、蒸発器室６１に戻り、再び蒸発器５３と熱交換し冷却される。
【００２２】
そして、本実施形態の冷蔵庫１０では、冷蔵冷却モードから冷凍冷却モードに切り替わる際に、冷蔵冷却モード終了後、移行モードを実行してから冷凍冷却モードを実行する。
【００２３】
詳細には、移行モードでは、冷凍サイクル５０に設けられた開閉弁５９を開放するとともに圧縮機５６を駆動することで蒸発器５３を低温化しつつ、冷蔵ダンパ２７及び冷凍ダンパ４９を両方閉止した状態で蒸発器ファン５８を停止させる。本実施形態では、移行モードを所定時間（例えば、２分間）実行した後、冷凍冷却モードを実行する。
【００２４】
このような本実施形態では、冷蔵冷却モード終了直後の蒸発器室６１内の空気は冷凍温度に比べ高い冷蔵温度になっているが、冷蔵冷却モードから冷凍冷却モードに切り替わる際、冷蔵冷却モード終了後に移行モードを実行してから冷凍冷却モードを実行するため、蒸発器室６１内の空気を冷凍温度まで冷却してから冷凍空間４０へ供給することができ、冷凍空間４０内に高い温度の空気が流入するのを防止して省エネルギー化を図ることができる。
【００２５】
（変更例１）
上記した第１実施形態では、移行モード時に、冷凍サイクル５０に設けられた開閉弁５９を開放しつつ圧縮機５６を駆動することで蒸発器５３を低温化する場合について説明したが、開閉弁５９を閉止しつつ圧縮機５６を駆動してもよく、これにより、圧縮機５６の吸込圧を受けて蒸発器５３内が減圧されるため、蒸発器５３及び蒸発器室６１内の空気が速やかに冷却され、冷凍空間４０内に高い温度の空気が流入することなく冷蔵冷却モードから冷凍冷却モードへスムーズに移行することができる。
【００２６】
（変更例２）
上記した第１実施形態では、冷蔵冷却モード終了後に移行モードを所定時間実行すると、移行モードを終了し冷凍冷却モードを開始する場合について説明したが、移行モード中に温度センサ５７により蒸発器５３の温度を検出し、その検出温度が所定温度（例えば、−１８℃）以下に達するまで移行モードを実行し、検出温度が所定温度（例えば、−１８℃）以下になると移行モードを終了し冷凍冷却モードを開始してもよく、このような場合、適切なタイミングで移行モードを終了させて冷凍冷却モードへ移行することができる。
【００２７】
また、この変更例の移行モード実行中に開閉弁５９を閉止しつつ圧縮機５６を駆動してもよく、これにより、蒸発器５３及び蒸発器室６１内の空気が速やかに冷却され、移行モードの実行時間を短縮することができる。
【００２８】
（第２実施形態）
次に、本発明の第２実施形態について図４を参照して説明する。
【００２９】
本実施形態の冷蔵庫１０は、図４に示すように、蒸発器５３の近傍に除霜ヒータ６２が設けられており、所定条件を満たすと、例えば、前回の除霜から積算した圧縮機５６の実運転時間が所定時間を超えると、圧縮機５６を停止させつつ除霜ヒータ６２を通電し蒸発器５３の除霜する除霜モードを実行する。この除霜モードの実行中は、蒸発器ファン５８を停止させるとともに、冷蔵ダンパ２７と冷凍ダンパ４９とを閉止し冷蔵空間２０及び冷凍空間４０と蒸発器室６１とを遮断する。
【００３０】
そして、除霜モードが終了後、次に、蒸発器５３で冷却された空気が、冷蔵ダクト２６を介して冷蔵空間２０に送風され冷蔵空間２０内を冷却する冷蔵冷却モード、又は、冷凍ダクト４８を介して冷凍空間４０に送風され冷凍空間４０内を冷却する冷凍冷却モードのいずれかのモードを実行する際に、移行モードを実行してから冷蔵冷却モード又は冷凍冷却モードを実行する。
【００３１】
移行モードでは、冷凍サイクル５０に設けられた開閉弁５９を開放するとともに圧縮機５６を駆動することで蒸発器５３を低温化しつつ、冷蔵ダンパ２７及び冷凍ダンパ４９を両方閉止した状態で蒸発器ファン５８を停止させる。本実施形態では、移行モードを所定時間（例えば、２分間）実行した後、冷蔵冷却モード又は冷凍冷却モードを実行する。
【００３２】
このように、本実施形態の冷蔵庫１０では、蒸発器ファン５８と停止させるとともに、除霜中に冷蔵ダンパ２７と冷凍ダンパ４９とを閉止し冷蔵空間２０及び冷凍空間４０と蒸発器室６１とを遮断することで、除霜運転中に蒸発器室６１内に生じた暖かい空気が冷蔵空間２０及び冷凍空間４０に流入することが無く、省エネルギー化を図ることができる。
【００３３】
また、本実施形態では、除霜モード終了直後の蒸発器室６１内の空気は冷蔵温度に比べ高い温度になっているが、除霜モードから冷蔵冷却モード又は冷凍冷却モードに切り替わる際、除霜モード終了後に移行モードを実行してから冷蔵冷却モード又は冷凍冷却モードを実行するため、蒸発器室６１内の空気を充分冷却してから冷蔵空間２０又は冷凍空間４０へ供給することができ、冷凍空間４０内に高い温度の空気が流入するのを防止して省エネルギー化を図ることができる。
【００３４】
なお、上記した構成以外は第１の実施形態と同様であり、詳細な説明は省略する。
【００３５】
（変更例１）
上記した第２実施形態では、冷蔵冷却モード終了後に移行モードを所定時間実行すると、移行モードを終了し冷凍冷却モードを開始する場合について説明したが、移行モード中に温度センサ５７により蒸発器５３の温度を検出し、その検出温度が所定温度（例えば、−１８℃）以下に達するまで移行モードを実行し、その検出温度が所定温度（例えば、−１８℃）以下になると移行モードを終了し冷凍冷却モードを開始してもよく、このような場合、適切なタイミングで移行モードを終了させて冷蔵冷却モード又は冷凍冷却モードへ移行することができる。
【００３６】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３７】
１０…冷蔵庫      １１…冷蔵庫本体      １２…断熱仕切壁
２０…冷蔵空間      ２１…仕切板      ２２…冷蔵室
２２ａ…冷蔵室扉      ２４…野菜室      ２４ａ…扉
２５…収納容器      ２６…冷蔵ダクト      ２７…冷蔵ダンパ
２８…吸込口      ３７…リターンダクト      ４０…冷凍空間
４２…製氷室      ４４…小型冷凍室      ４６…冷凍室
４８…冷凍ダクト      ４９…冷凍ダンパ      ５０…冷凍サイクル
５２…キャピラリーチューブ      ５３…蒸発器      ５５…凝縮器
５６…圧縮機      ５７…温度センサ      ５８…蒸発器ファン
５９…開閉弁      ６０…吸込口      ６１…蒸発器室
６２…除霜ヒータ
【図１】
2013160487.tif 000003
【図２】
2013160487.tif 000004
【図３】
2013160487.tif 000005
【図４】
2013160487.tif 000006